(57)【要約】【課題】実際の洗車に近い情景を表現できる洗車機玩具を提供すること。【解決手段】洗車部４０に設置された玩具車両１を見通せる箇所に配置され、ペアガラス状に面同士を対峙させて近接して配置した２枚の透明板５４ａ，５４ｂから構成され、２枚の透明板５４ａ，５４ｂの間に第１の水路が形成された仕切り板と、仕切り板を含んで構成され、仕切り板の下方に位置し前記第１の水路に連通し水を貯留する水貯留部、及び、水貯留部に連通し前記第１の水路の上方位置まで延在する第２の水路と、が設けられた水タンク５４とを備え、水タンク５４内に設置された羽根車６１を、磁力により非接触で連結される駆動部９４により回転させて前記第１の水路に水を噴射させるようにした。【選択図】図１
2019058611.tif 000002
【特許請求の範囲】
【請求項１】
玩具車両が設置される洗車部と、
前記洗車部に設置された前記玩具車両を見通せる箇所に配置され、ペアガラス状に面同士を対峙させて近接して配置した２枚の透明板から構成され、前記２枚の透明板の間に第１の水路が形成された仕切り板と、
前記仕切り板を含んで構成され、前記仕切り板の下方に位置し前記第１の水路に連通し水を貯留する水貯留部と、前記水貯留部に連通し前記第１の水路の上方位置まで延在する第２の水路と、が設けられた水タンクと、
前記水タンクの内部に設置され、前記水貯留部の水を前記第２の水路を通して前記第１の水路の上方位置まで送り込む羽根車と、
前記水タンクの内部に設置され、前記第１の水路の上方位置で前記第２の水路から前記第１の水路に向けて水を噴射させる水噴射部と、
前記水タンクの外方に設置され、前記羽根車を回転させる駆動部と、を備え、
前記羽根車又は前記駆動部の一方には磁石が設けられ、前記羽根車又は前記駆動部の他方には前記水タンクの壁を間に挟んで前記羽根車又は前記駆動部の一方に非接触で磁力によって連結される磁性体が設けられていることを特徴とする洗車機玩具。
【請求項２】
前記水タンクは扁平状に形成され、前記洗車部に対して着脱可能に構成されていることを特徴とする請求項１に記載の洗車機玩具。
【請求項３】
前記２枚の透明板のうちの一方の透明板は、前記水噴射部から噴射される水を途中で受止め、当該一方の透明板の上を流下させるように構成されていることを特徴とする請求項１又は請求項２に記載の洗車機玩具。
【請求項４】
前記駆動部は、前記洗車部の床下に設けられていることを特徴とする請求項１〜請求項３のいずれか一項に記載の洗車機玩具。
【請求項５】
前記第２の水路は前記仕切り板の不透明の枠で被覆される箇所に形成されていることを特徴とする請求項１〜請求項４のいずれか一項に記載の洗車機玩具。
【発明の詳細な説明】
【技術分野】
【０００１】
本発明は、洗車機玩具に関するものである。
【背景技術】
【０００２】
従来、洗車機玩具として、洗車部と、洗車部に設置された玩具車両を当該玩具車両の幅方向一側から見通せる開口と、洗車部内で玩具車両が前進した際に当該玩具車両に接触して回転動作する洗車ブラシ模型と、を備えたものがある（例えば、特許文献１参照）
この洗車機玩具によれば、洗車部において玩具車両を前進移動させると洗車ブラシ模型が玩具車両に接触して回転動作することにより、実際の洗車の情景を表現している。
【先行技術文献】
【特許文献】
【０００３】
【特許文献１】実公昭６１−３６３１２号公報
【発明の概要】
【発明が解決しようとする課題】
【０００４】
ところで、実際の洗車機においては、洗車対象である自動車等の車両に水を噴射させながらの洗車を行っている。
これに対して、上記特許文献１に記載の洗車機玩具では、水を使用せずに洗車ブラシ模型を回転動作させるだけであるので、実際の洗車とはかけ離れ、物足りないものとなっていた。
本発明は、実際の洗車に近い情景を表現できる洗車機玩具を提供することを目的としている。
【課題を解決するための手段】
【０００５】
第１の手段は、
玩具車両が設置される洗車部と、
前記洗車部に設置された前記玩具車両を見通せる箇所に配置され、ペアガラス状に面同士を対峙させて近接して配置した２枚の透明板から構成され、前記２枚の透明板の間に第１の水路が形成された仕切り板と、
前記仕切り板を含んで構成され、前記仕切り板の下方に位置し前記第１の水路に連通し水を貯留する水貯留部と、前記水貯留部に連通し前記第１の水路の上方位置まで延在する第２の水路と、が設けられた水タンクと、
前記水タンクの内部に設置され、前記水貯留部の水を前記第２の水路を通して前記第１の水路の上方位置まで送り込む羽根車と、
前記水タンクの内部に設置され、前記第１の水路の上方位置で前記第２の水路から前記第１の水路に向けて水を噴射させる水噴射部と、
前記水タンクの外方に設置され、前記羽根車を回転させる駆動部と、を備え、
前記羽根車又は前記駆動部の一方には磁石が設けられ、前記羽根車又は前記駆動部の他方には前記水タンクの壁を間に挟んで前記羽根車又は前記駆動部の一方に非接触で磁力によって連結される磁性体が設けられていることを特徴とする。
【０００６】
第２の手段は、第１の手段であって、前記水タンクは扁平状に形成され、前記洗車部に対して着脱可能に構成されていることを特徴とする。
【０００７】
第３の手段は、第１の手段又は第２の手段であって、前記２枚の透明板のうちの一方の透明板は、前記水噴射部から噴射される水を途中で受け止めて当該一方の透明板に沿って流下させるように構成されていることを特徴とする。
【０００８】
第４の手段は、第１の手段〜第３の手段のいずれか一の手段であって、前記駆動部は、前記洗車部の床下に設けられていることを特徴とする。
【０００９】
第５の手段は、第１の手段〜第４の手段のいずれか一の手段であって、前記第２の水路は前記仕切り板の不透明の枠で被覆される箇所に形成されていることを特徴とする。
【発明の効果】
【００１０】
第１の手段によれば、透明な仕切り板を介して洗車対象となる玩具車両が見通せるとともに、２枚の透明板の間の第１の水路には水が噴射され、正面側からそれらが重なって見えるので、玩具車両に水を噴射させているかのような感覚を生じさせる。
また一方で、玩具車両に水を直接に掛けないので、玩具車両が濡れることがなく、周辺が水浸しになるのも防止される。
【００１１】
第２の手段によれば、水タンクを取り外すことができるので、水の交換等が簡単に行えることになる。
【００１２】
第３の手段によれば、実際の車に水が当たった際に生じるしぶきや、車の表面に沿って流下する水の流れを効果的に表現することができる。
【００１３】
第４の手段によれば、駆動部が洗車部の床下に設けられているため、洗車部をコンパクトに構成できることになる。
【００１４】
第５の手段によれば、第２の水路が枠に隠れるので、意匠的にも好ましいものとなる。
【図面の簡単な説明】
【００１５】
【図１】本発明の実施形態に係る洗車機玩具の斜視図である。
【図２】図１の洗車機玩具の水タンク及び窓枠を取り除いた状態の斜視図である。
【図３】図１の洗車機玩具の洗車ブラシ模型の取付け構造を示した斜視図である。
【図４】図１の洗車機玩具の洗車ブラシ模型とブラシ操作ツマミとの組付け構造を示した斜視図である。
【図５】図１の洗車機玩具の窓枠を裏面側から見た状態の斜視図である。
【図６】図１の洗車機玩具の水タンクと窓枠との組付け構造の図である。
【図７】図１の洗車機玩具の水タンクの前側ケース片と後側ケース片とを分解した状態の斜視図である。
【図８】図１の洗車機玩具の水タンクの後側ケース片の正面図である。
【図９】図１の洗車機玩具の溝ブロックの斜視図である。
【図１０】図１の洗車機玩具の駆動部と水タンクの平面図である。
【図１１】図１の洗車機玩具の駆動部の斜視図である。
【図１２】図１の洗車機玩具の羽根車を裏面側から見た状態の斜視図である。
【図１３】図１の洗車機玩具の制御構成を示したブロック図である。
【発明を実施するための形態】
【００１６】
図１は本発明の実施形態である洗車機玩具の斜視図である。
この洗車機玩具１００は、入口部１０と、洗車部４０と、出口部７０とを備えている。
【００１７】
（入口部１０）
このうち入口部１０の敷地は平面視で長方形となっている。この入口部１０の敷地の縁には、敷地を区画する縁石や植栽に模した界標模型１１が一体的に設けられている。また、入口部１０の敷地にはベンチ模型１３や自動販売機模型１４、集金・コース選択機模型１５が一体的に設けられている。また、入口部１０の敷地には玩具車両１の待機のための駐車エリア１６が設けられている。また、入口部１０の敷地にはゲート１７が設けられている。そして、ゲート１７や駐車エリア１６への外部からの進入口は上りスロープとなっている。また、入口部１０には洗車部４０に向けて上りの入口スロープ１８が形成されている。そして、ゲート１７から進入して来た玩具車両１や駐車エリア１６からの玩具車両１は入口スロープ１８を上って洗車部４０に入る。
【００１８】
（洗車部４０）
図２は、洗車機玩具１００の水タンク及び窓枠を取り除いた状態の斜視図である。
洗車部４０は、柱、後壁及び天井で直方体の箱状に形成された洗車室４１を備えている。洗車室４１はトンネル状に形成され、入口部１０寄りに入口側開口４２ａが、出口部７０寄りに出口側開口４２ｂがそれぞれ形成され、玩具車両１が入口側開口４２ａ側から入り出口側開口４２ｂから出て行くようになっている。
また、洗車室４１は入口部１０よりも高床となっており、洗車室４１の床は入口側が上りスロープ４１ａ、中央が平坦部４１ｂ、出口側が下りスロープ４１ｃとなっている。平坦部４１ｂには溝４１ｄが形成され、この溝４１ｄによって玩具車両１を停止させておくことができる。入口側の上りスロープ４１ａは上記スロープ１８に連なり、出口側のスロープ４１ｃは後述の出口スロープ７１に連なっている。さらに、洗車室４１の内部には、洗車室４１に設置される玩具車両１の幅方向両側外方にそれぞれ洗車ブラシ模型４４が１つずつ設置されている。２つの洗車ブラシ模型４４，４４は同じ構造となっているので、特に断らない限り、１つだけを説明し他の説明は省略する。
【００１９】
図３は、洗車ブラシ模型４４の取付け構造を示した斜視図である。
この洗車ブラシ模型４４は、弾性体で横断面が花冠状で全体として柱状に形成されている。この洗車ブラシ模型４４は中心軸が上下方向に延在するように縦置きされ、同じく上下方向に延在する軸４５に固定されている。
各軸４５の上端部は、洗車部４０の天井板４６に形成された別々のスリット４６ａを通され、洗車室４１の屋根裏まで延びている。ここで、各スリット４６ａは洗車部４０の入口側開口４２ａ側から出口側開口側４２ｂに向けて延在している。一方、軸４５の上端部にはピニオン４７が固定されている。一方、天井板４６上面には、スリット４６ａの脇に当該スリット４６ａに沿って延びるラック４８が形成され、このラック４８に上記ピニオン４７が噛合している。これにより、洗車ブラシ模型４４がスリット４６ａに沿って移動したとき、ピニオン４７がラック４８に対して転動し、洗車ブラシ模型４４が回転する。
図４は、洗車ブラシ模型とそれを操作するブラシ操作ツマミとの組付け構造を示した斜視図である。
同図に示すように、２つの軸４５の上端は、平面視で短冊状の１つの連結板５０の端部に係合している。連結板５０の上面は、長手方向の中央部が盛り上がっており、この盛り上がり部分の上には舌片状のブラシ操作ツマミ５１が立設されている。このブラシ操作ツマミ５１の上端部は、図１に示すように、洗車室２１の屋根のスリット５２から突出し、遊戯者が手で操作可能となっている。遊戯者は、ブラシ操作ツマミ５１をスリット５２に沿って操作することによって２つの洗車ブラシ模型４４，４４を回転させながら移動させることができる。
【００２０】
図５は、窓枠を裏面側から見た状態の斜視図、図６は、水タンクと窓枠との組付け構造を示した図である。
洗車室４１の正面側には開口４１ｅが設けられ、その開口４１ｅの前側（正面側）には、当該開口４１ａと略同じ大きさを持つ長方形の開口５３ａを有する不透明の窓枠５３が設けられている。この窓枠５３の開口５３ａからは洗車室４１の内部を見通せるようになっている。この窓枠５３には、水タンク５４が下方から嵌め込まれる。嵌め込まれた状態では、水タンク５４の上半部が開口４１ｅ，５３ａを閉塞する。水タンク５４のうちで開口４１ｅ，５３ａを閉塞する部分は窓板（仕切り板）を構成している。そして、窓枠５３に嵌め込まれた水タンク５４の下半部は水貯留部を構成し、洗車室４１の孔６５ａ（図２参照）に上方から差し込まれるようになっている。この差込みによって、窓枠５３と水タンク５４は洗車部４０に取り付けられる。一方、窓枠５３と水タンク５４とは水タンク５４を孔６５ａから抜き出すことによって洗車部４０から簡単に取り外すことができる。
【００２１】
続いて、水タンク５４について説明する。
図７は、前側ケース片と後側ケース片とを分解した状態の斜視図である。
水タンク５４は扁平で、正面視で略直角台形状に形成されている。すなわち、正面視で、水タンク５４の上半部は長方形、下半部は略三角形に形成されている。さらに詳しくは、水タンク５４は、正面視で、右辺が上下方向、上辺が左右方向、左辺の上半部が上下方向、左辺の下半部が下方に行くに従って右辺に近づく方向にそれぞれ延在している。そして、左辺と右辺とが会合する下端の角部は丸められている。
【００２２】
この水タンク５４は、透明の前側ケース片５４ａと同じく透明の後側ケース片５４ｂとで外郭が形成されている。前側ケース片５４ａと後側ケース片５４ｂとは正面視で同じ形をしている。そして、前側ケース片５４ａの縁は後側ケース片５４ｂ側に立ち上がり、逆に、後側ケース片５４ｂの縁は前側ケース片５４ａ側に立ち上がっている。そして、この前側ケース片５４ａと後側ケース片５４ｂとは、縁同士を互いに付き合わせた状態でウェルダー加工により溶着されている。
【００２３】
前側ケース片５４ａの上半部内面には、上半部の３つの縁よりも当該前側ケース５４ａの中心寄りに当該３つの縁に沿って延びるコ字状の仕切り壁５４０が形成されている。なお、この仕切り壁５４０の上辺の正面視左端の上には前側ケース片５４ａの上縁に結合される小さな仕切り壁５４１が設けられている。
一方、後側ケース片５４ｂの上半部内面には下方に行くに従って表側ケース片５４ａに向けて近づくように傾斜する平面を有する膨出部５４２が設けられている。この膨出部５４２は上記仕切り壁５４０によって区画された領域と略同じ大きさで、仕切り壁５４０の内側に嵌まり合う。この膨出部５４２の傾斜する平面は、後述するノズル５４８ａ〜５４８ｅ（図９参照）の下方に拡がっており、ノズル５４８ａ〜５４８ｅから噴射する水を途中で受け止め、受け止めた水を当該平面に伝わらせて流下させる働きをする。噴射する水は、当該平面に衝突して飛び散るしぶきを形成する一方で、当該平面の上でまとまって適度な大きさの水の流れを形成する。これによって、実際の車両に水が当たった際に生じるしぶきや、車体の表面に沿って流下する水の流れを効果的に表現することができる。なお、ここでは後側ケース片５４ｂに膨出部５４２を設けたが、前側ケース片５４ａ側に、ノズル５４８ａ〜５４８ｅの下方に拡がる傾斜面を設けてもよい。この場合、前側ケース片５４ａ又は後側ケース片５４ｂの少なくとも一方を傾斜させ、その傾斜部分（傾斜面）がノズル５４８ａ〜５４８ｅの下方に拡がるようにしてもよい。
【００２４】
図８は、水タンクの後側ケース片の正面図、図９は溝ブロックの斜視図である。
後側ケース片５４ｂの膨出部５４２の正面視右側には上記仕切り壁５４０の右辺部が嵌まるスリット５４３が形成された仕切り壁５４４が形成されている。また、膨出部５４２の直ぐ上には棚板５４５が形成されている。そして、この棚板５４５の上にはコ字状の溝５４６を有する溝ブロック５４７が設置されている。この溝ブロック５４７の溝５４６は右端が開口し、左端は閉鎖されている。また、溝ブロック５４７の底部には左右方向に所定間隔で孔が空けられており、この孔部分にはノズル５４８ａ〜５４８ｅが設けられている。このノズル５４８ａ〜５４８ｅは水噴射部を構成している。
【００２５】
また、後側ケース片５４ｂには吸込み口６０ａ（図８参照）及び吐出し口６０ｂ（図９参照）が形成された羽根室６０が設けられている。羽根室６０には軸６１ｄを中心に回転動作する羽根車６１が設けられている。羽根室６０の吐出し口６０ｂは正面視で仕切り壁５４０の右辺部及び仕切り壁５４４よりも右側に開口しており、羽根室６０から吐き出された水は仕切り壁５４４に沿って上昇し、溝ブロック５４７まで導かれる。そして、溝ブロック５４７まで導かれた水はノズル５４８ａ〜５４８ｅから噴射される。なお、仕切り壁５４４及び溝ブロック５４７は水貯留部の水を第１の水路の上方まで導くための第２の水路を画成している。
【００２６】
また、図８に示すように、後側ケース片５４ｂには水の注入口６２ａが設けられている。この注入口６２ａは着脱可能な栓６３（図６参照）によって閉塞されている。なお、符号６２ｂは線６３を保持するための凹部である。
【００２７】
また、図２に示すように、洗車部４０には前方に延出する延出部６５が設けられている。また、延出部６５は、操作盤を構成し、上面には左方から電源ツマミ６６ａ、シャワーボタン６６ｂ、シャンプーボタン６６ｃ、ワックスボタン６６ｄ及び高圧ジェットボタン６６ｅがこの順に設けられている。
【００２８】
さらに、洗車部４０の床下には電源（図示せず）が配置されている。電源としては、特に限定はされないが、乾電池が用いられている。乾電池は、洗車部４０の裏側の蓋（図示せず）を開くことによって洗車機玩具１００に装着されるようになっている。
【００２９】
図１０は駆動部と水タンクの平面図、図１１は駆動部の斜視図である。
洗車部４０の床下にはモータ８０が横置き状態で設置されている。すなわち、モータ８０は、出力軸が前方（正面側）に向くように設置されている。この出力軸にはピニオン８１ａが固定されている。また、ピニオン８１ａの隣には、上記出力軸に平行に他の軸８１ｂが設置されている。この軸８１ｂの後端部には上記ピニオン８１ａに噛合する歯車８１ｃが固定されている。また、軸８１ｂの前端部には回転体８１ｄが固定されている。この回転体８１ｄの前端面には、図１２に示すように、偏心位置に３つの磁石８２ａ〜８２ｃが設けられている。３つの磁石の向きは前方がＮ極又はＳ極で揃うようにされている。
図１２は、羽根車を裏面側から見た状態の斜視図である。
羽根車６１の偏心位置には、上記３つの磁石８２ａ〜８２ｃに対応する位置に他の３つの磁石６１ａ〜６１ｃが設けられている。３つの磁石８２ａ〜８２ｃと３つの磁石６１ａ〜６１ｃとは１対１で対応して設けられている。そして、３つの磁石６１ａ〜６１ｃの向きは後方が上記３つの磁石８２ａ〜８２ｃの前側の極と異磁極となるように設定されている。
なお、モータ８０、ピニオン８１ａ、軸８１ｂ、歯車８１ｃ及び回転体８１ｄは駆動部９４を構成している。そして、駆動部と羽根車６１とが水タンク５４の壁を挟んで磁力によって非接触状態で連結されている。
また、上記では、回転体８１ｄに磁石８２ａ〜８２ｃを設け、羽根車６１にも磁石６１ａ〜６１ｃを設けたが、いずれか一方は鉄等の磁石以外の磁性体であってもよい。
【００３０】
（制御構成）
図１３は、洗車機玩具１００の制御構成を示したブロック図である。
実施形態の洗車機玩具１００は、制御部９０と，入力部９１と、記憶部９２と、音出力部９３と、駆動部９４とを備えている。
制御部９０は記憶部９２に記憶されたプログラム及びデータに基づいて各部を統括制御するとともに、各部を個別的に制御する。
入力部９１は、電源ツマミ６６ａ、ボタン６６ｂ〜６６ｅのそれぞれに１対１で対応して設けられたスイッチを含んで構成されている。
記憶部９２は本実施形態の洗車機玩具１００を動作させるためのプログラムやデータを記憶している。
音出力部９３は、記憶部９２に記憶されたプログラム及びデータに基づいて動作する制御部９０によって駆動制御される。
駆動部９４は、記憶部９２に記憶されたプログラム及びデータに基づいて動作する制御部９０によって駆動制御される。
【００３１】
（出口部７０）
出口部７０は下りスロープ７１によって構成されている。この下りスロープ７１は洗車後の玩具車両１を外部に排出するためのものである。
【００３２】
（動作）
電源ツマミ６６ａを操作すると洗車機玩具１００が起動される。
シャワーボタン６６ｂを押すと、制御部９０は、シャワーを開始する旨のアナウンスを音出力部９３から出力させ、シャワーボタン６６ｂを押している間だけ、駆動部９４を作動させて水を噴出させるとともに、「ジャー」という音を音出力部９３から出力させる。シャワーボタン６６ｂから手を離してしばらくすると、制御部９０は、乾燥を始める旨のアナウンスと、「ゴー」という乾燥音を音出力部９３から出力させて洗車終了となる。
シャンプーボタン６６ｃを押すと、制御部９０は、シャンプーを開始する旨のアナウンスを音出力部９３から出力させ、駆動部９４を断続的に作動させて、シャンプーをイメージさせる断続的なパターンで水を噴射させるとともに、「プクプクプク」という音を音出力部９３から出力させる。そして、一定時間経過後、制御部９０は、乾燥を始める旨のアナウンスと、「ゴー」という乾燥音を音出力部９３から出力させて洗車終了となる。
ワックスボタン６６ｄを押すと、制御部９０は、ワックスを開始する旨のアナウンスを音出力部９３から出力させ、駆動部９４を断続的に作動させて、コーティング剤をかける様をイメージさせる断続的なパターンで水を噴射させるとともに、「シャー」という音を音出力部９３から出力させる。そして、一定時間経過後、制御部９０は、乾燥を始める旨のアナウンスと、「ゴー」という乾燥音を音出力部９３から出力させて洗車終了となる。
高圧ジェットボタン６６ｅを押すと、制御部９０は、高圧ジェット洗浄を開始する旨のアナウンスを音出力部９３から出力させ、駆動部９４を作動させて、威勢良く水を噴射させるとともに、「ゴゴゴー」という音を音出力部９３から出力させる。そして、一定時間経過後、制御部９０は、乾燥を始める旨のアナウンスと、「ゴー」という乾燥音を音出力部９３から出力させて洗車終了となる。
また、ブラシ操作ツマミ５１を操作すると、２つの洗車ブラシ模型４４、４４が回転動作しながら左右方向に移動する。この洗車ブラシ模型４４、４４も窓枠５３を介して見通すことができる。
【００３３】
以上、本発明の実施形態について説明したが、本発明は、かかる実施形態に限定されず、その発明の要旨を変更しない範囲で、種々の変形が可能であることは言うまでもない。
例えば、洗車室４１の入口側の柱に洗車室４１の使用状態を後続の玩具車両１に知らせる緑と赤の２つの信号を設けて、使用状態に応じてそれらを選択的に点灯させることもできる。
また、車両玩具は自動車玩具に限らず、列車玩具であってもよい。
【符号の説明】
【００３４】
１     玩具車両
４０   洗車部
４１   洗車室
４４   洗車ブラシ模型
５４   水タンク
６１    羽根車
９４    駆動部
１００    洗車機玩具
５４８ａ〜５４８ｅ   ノズル
６１ａ〜６１ｃ       磁石
８２ａ〜８２ｃ       磁石
【図１】
2019058611.tif 000003
【図２】
2019058611.tif 000004
【図３】
2019058611.tif 000005
【図４】
2019058611.tif 000006
【図５】
2019058611.tif 000007
【図６】
2019058611.tif 000008
【図７】
2019058611.tif 000009
【図８】
2019058611.tif 000010
【図９】
2019058611.tif 000011
【図１０】
2019058611.tif 000012
【図１１】
2019058611.tif 000013
【図１２】
2019058611.tif 000014
【図１３】
2019058611.tif 000015